【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
１以上のプロセッサと１以上のノードを含むシステムであって、
前記１以上のノードの少なくとも何れか１つは、会議中に当該会議に関する第１のデータを生成し、
前記１以上のプロセッサは、前記１以上のノードの少なくとも何れか１つと１以上のネットワークを介して接続され、
前記１以上のプロセッサの少なくとも何れか１つは、前記１以上のノードから、前記第１のデータを受信し、
前記１以上のプロセッサの少なくとも何れか１つは、前記第１のデータに基づいて分析を行い、
前記１以上のプロセッサの少なくとも何れか１つは、前記分析に基づいて、会議のポイントを示すラベルと、当該ラベルに対応する内容のデータとを含むレポートを生成する、
システム。
【請求項２】
前記分析は、発話認識及びテキスト認識のうち少なくとも何れか１つを含む、
請求項１に記載のシステム。
【請求項３】
前記１以上のノードのうち少なくとも何れか１つが、ウェブベースのインターフェースを用いて前記レポートを表示可能である、
請求項２に記載のシステム。
【請求項４】
前記ウェブベースのインターフェースに表示された前記レポートは、前記会議のポイントを示すラベルと当該ラベルに対応する内容を表示する画面から、前記第１のデータの少なくとも一部の文字起こしの情報、及び所定の文書、所定の画像、のうち少なくとも何れか１つへアクセス可能に構成される、
請求項３に記載のシステム。
【請求項５】
前記１以上のプロセッサの何れか１つは、前記発話認識及び前記テキスト認識のうち少なくとも何れか１つの結果として所定のキーワードを認識し、
当該所定のキーワードに基づいて前記会議のポイントを示すラベルを生成する、
請求項２乃至４の何れか１項に記載のシステム。
【請求項６】
前記１以上のプロセッサの何れか１つは、前記会議のポイントを示すラベルを前記会議中に生成する、
請求項１乃至５の何れか１項に記載のシステム。
【請求項７】
前記１以上のプロセッサの何れか１つは、前記レポートを前記１以上のノードの少なくとも１つに送信する、
請求項１又は２に記載のシステム。
【請求項８】
前記会議のポイントを示すラベルはアクション項目を示すラベルであり、前記ラベルに対応する内容は、当該アクション項目の内容である、
請求項１乃至７の何れか１項に記載のシステム。
【請求項９】
前記第１のデータは、ビデオデータ及びオーディオデータのうち少なくとも何れか１つである、
請求項１乃至８の何れか１項に記載のシステム。
【請求項１０】
前記１以上のノードは、会議アプリケーションを実行するコンピュータであり得る、
請求項１乃至９の少なくとも何れか１項に記載のシステム。
【請求項１１】
前記１以上のノードは、電子ホワイトボードを含み得る、
請求項１乃至１０の少なくとも何れか１項記載のシステム。
【請求項１２】
１以上のノードと１以上のネットワークを介して接続された１以上のプロセッサであって、
前記１以上のプロセッサのうち少なくとも何れか１つが、前記１以上のノードのうち少なくとも何れか１つで会議中に生成された、当該会議に関する第１のデータを受信し、
前記１以上のプロセッサのうち少なくとも何れか１つが、前記第１のデータに基づいて分析を行い、
前記１以上のプロセッサのうち少なくとも何れか１つが、前記分析に基づいて、会議のポイントを示すラベルと、当該ラベルに対応する内容のデータとを含むレポートを生成する、
１以上のプロセッサ。
【請求項１３】
前記分析は、発話認識及びテキスト認識のうち少なくとも何れか１つを含む、
請求項１２に記載の１以上のプロセッサ。
【請求項１４】
前記１以上のプロセッサのうち少なくとも何れか１つは、
少なくとも１以上のノードへ、当該１以上のノードのウェブベースのインターフェースで表示可能に、前記レポートを提供する
請求項１３に記載の１以上のプロセッサ。
【請求項１５】
前記ウェブベースのインターフェースに表示可能に提供された前記レポートは、前記会議のポイントを示すラベルと当該ラベルに対応する内容が表示される画面から、前記第１のデータの少なくとも一部の文字起こしの情報、所定の文書、及び所定の画像、のうち少なくとも何れか１つへアクセス可能に構成される、請求項１４に記載の１以上のプロセッサ。
【請求項１６】
前記会議のポイントを示すラベルはアクション項目を示すラベルであり、前記ラベルに対応する内容はアクション項目の内容である、
請求項１２乃至１５の何れか１項に記載の１以上のプロセッサ。
【請求項１７】
１以上のプロセッサと、前記１以上のプロセッサと１以上のネットワークを介して接続される１以上のノードを含むシステムで実行される方法であって、
前記１以上のノードが、会議中に当該会議に関する第１のデータを生成するステップと、
前記１以上のプロセッサのうち少なくとも何れか１つが、前記１以上のノードから、前記第１のデータを受信するステップと、
前記１以上のプロセッサのうち少なくとも何れか１つが、前記第１のデータに基づいて分析を行うステップと、
前記１以上のプロセッサのうち少なくとも何れか１つが、前記分析に基づいて、会議のポイントを示すラベルと、当該ラベルに対応する内容のデータとを含むレポートを生成するステップと、
を有する方法。
【請求項１８】
１以上のノードと１以上のネットワークを介して接続された１以上のプロセッサで実行される方法であって、
前記１以上のプロセッサのうち少なくとも何れか１つが、前記１以上のノードのうち少なくとも何れか１つで会議中に生成された、当該会議に関する第１のデータを受信するステップと、
前記１以上のプロセッサのうち少なくとも何れか１つが、前記第１のデータに基づいて分析を行うステップと、
前記１以上のプロセッサのうち少なくとも何れか１つが、前記分析に基づいて、会議のポイントを示すラベルと、当該ラベルに該当する内容のデータとを含むレポートを生成するステップと、
を有する方法。
【請求項１９】
前記分析は、発話認識及びテキスト認識のうち少なくとも何れか１つを含む、
請求項１７又は１８に記載の方法。
【請求項２０】
前記１以上のプロセッサのうち少なくとも何れか１つが、少なくとも１以上のノードへ、当該１以上のノードのウェブベースのインターフェースで表示可能に、前記レポートを提供するステップと、
を有する請求項１９に記載の方法。
【請求項２１】
前記ウェブベースのインターフェースに表示可能に提供された前記レポートは、前記会議のポイントを示すラベルと当該ラベルに対応する内容が表示される画面から、前記第１のデータの少なくとも一部の文字起こしの情報、所定の文書、及び所定の画像、のうち少なくとも何れか１つへアクセス可能に構成される、
請求項２０に記載の方法。
【請求項２２】
前記会議のポイントを示すラベルはアクション項目を示すラベルであり、前記ラベルに対応する内容はアクション項目の内容である、
請求項１７乃至２１の何れか１項に記載の方法。
【請求項２３】
１以上のノードと１以上のネットワークを介して接続された１以上のプロセッサに、
前記１以上のプロセッサのうち少なくとも何れか１つが、前記１以上のノードのうち少なくとも何れか１つで会議中に生成された、当該会議に関する第１のデータを受信するステップと、
前記１以上のプロセッサのうち少なくとも何れか１つが、前記第１のデータに基づいて分析を行うステップと、
前記１以上のプロセッサのうち少なくとも何れか１つが、前記分析に基づいて、会議のポイントを示すラベルと、当該ラベルに対応する内容のデータとを含むレポートを生成するステップと、
を実行させるプログラム。
【請求項２４】
前記分析は、発話認識及びテキスト認識のうち少なくとも何れか１つを含む、
請求項２３に記載のプログラム。
【請求項２５】
前記１以上のプロセッサのうち少なくとも何れか１つに、少なくとも１以上のノードのウェブベースのインターフェースからのアクセスに対し、前記レポートを当該インターフェースで表示可能に提供するステップと、
を実行させる請求項２４に記載のプログラム。
【請求項２６】
前記ウェブベースのインターフェースに表示可能に提供された前記レポートは、前記会議のポイントを示すラベルと当該ラベルに対応する内容が表示される画面から、前記第１のデータの少なくとも一部の文字起こしの情報、所定の文書、及び所定の画像、のうち少なくとも何れか１つへアクセス可能に構成される、
請求項２５に記載のプログラム。
【請求項２７】
前記会議のポイントを示すラベルはアクション項目を示すラベルであり、前記ラベルに該当する内容はアクション項目の内容である、
請求項２３乃至２６の何れか１項に記載のプログラム。